(57)【要約】【課題】従来の牛の関節用サポーターはずり落ちてしまう虞があった。そこで本発明では、関節を確実に保護することのできる家畜脚用サポーターを提供することを目的とする。【解決手段】サポーター本体１１と、これを前脚６０に取り付ける為の取付紐（取付部材）１２とを備えた家畜脚用サポーター１０である。サポーター本体１１は関節部６１の外側を覆う保護面部１９と、保護面部１９の下方であって家畜の脚の繋６２の上面への載置部１３とを有する。サポーター本体１１は自立性を有する。サポーター本体１１は自重によって折れ曲がらず、載置部１３の下端１１ｂが繋６２の上に乗る様になるから、サポーター本体１１は保護面部１９で関節部６１を覆うこととなる。【選択図】図２
2007289051.tif 000002
【特許請求の範囲】
【請求項１】
四足歩行の家畜における脚の関節部の外側を保護する脚用サポーターであって、
該脚用サポーターは、サポーター本体と、このサポーター本体を前記脚の関節部を挟む上側または下側のいずれか一方または両方へ取り付ける取付部材を備え、
前記サポーター本体は、前記関節部の外側を覆う保護面部と、該保護面部の下方であって家畜の脚の繋或いはその近傍の上面への載置部を有し、
該サポーター本体は、自立性を有することを特徴とする家畜脚用サポーター。
【請求項２】
前記サポーター本体は、たわみ（ＪＩＳ  Ｋ  ７１７１）が２５mm以下である請求項１に記載の家畜脚用サポーター。
【請求項３】
前記サポーター本体は、可撓性のある素材で構成されたものである請求項１または２に記載の家畜脚用サポーター。
【請求項４】
前記家畜が牛であって、
前記サポーター本体の厚み方向の反発弾性（ＪＩＳ  Ｋ  ６４００）が７０％以下である請求項１〜３のいずれかに記載の家畜脚用サポーター。
【請求項５】
前記家畜が牛であって、
前記サポーター本体の厚みが２５〜３５mmである請求項１〜４のいずれかに記載の家畜脚用サポーター。
【請求項６】
前記サポーター本体が、独立気泡の発泡体により構成されたものである請求項１〜５のいずれかに記載の家畜脚用サポーター。
【請求項７】
前記サポーター本体が、発泡ポリウレタン、発泡ポリ塩化ビニール、発泡ポリエチレン、発泡ゴムよりなる群から選択される１種以上の素材により、単層或いは積層構造により構成されたものである請求項１〜６のいずれかに記載の家畜脚用サポーター。
【発明の詳細な説明】
【技術分野】
【０００１】
本発明は、牛等の四足歩行の家畜についてその脚の関節部を保護する家畜脚用サポーターに関するものである。
【背景技術】
【０００２】
牛等の家畜を飼う際の畜舎として、最近では一般にコンクリート製のものが用いられているが、牛等が寝たり立ったりする動作の際に、脚の膝関節（前膝や飛節）をコンクリートの床面に打ちつけてしまい負傷することがしばしば起こっている。以前では敷きワラが沢山敷かれた木造畜舎が用いられ、この敷きワラがクッションとなって膝関節を痛めることがあまりなかったのであるが、畜舎の変遷により、上記の如く関節部の負傷が新たな問題として浮かび上がってきている。
【０００３】
そこでマットを敷いて衝撃を和らげることが試みられてはいるものの、全ての面をマットで覆うことは現実にはできない。例えば一段高くなったコンクリート製餌入れについてはマットで覆いきれず、その角部分に打ち付けて負傷することがある。また畜舎には鉄パイプ製の仕切柵も配されており、これに打ち付けて負傷することもある。
【０００４】
斯様にして一旦負傷すると、畜舎内の糞尿等の散在する環境下では感染を起こして腫れる場合がある。またこの様に負傷やそれに伴う炎症を生じると、家畜が起立難渋や起立困難を呈する懸念がある。加えて殊に乳牛においては、起立難渋や起立困難によるストレスで乳量が減少したり、成分が不良になったりする懸念もある。こうした点から従来では、負傷した膝の関節部に包帯をするといったことが行われているものの、負傷箇所を再々コンクリート面に打ち当て、なかなか治癒しない或いは炎症がひどくなるといった事態も生じている。
【０００５】
そこで膝の関節部にクッションをあてがい、コンクリート面等へ打ち付けたときの衝撃を和らげるサポーターが提案されている（例えば特許文献１参照）。このサポーターは、発泡ゴム層を備えた布体と蛇腹状の弾性体とを牛の脚関節部に巻くように構成されたものであり、弾性体が蛇腹状に形成されているから、脚の曲げ伸ばしに対応できると共に、クッションの役目をして関節を直接コンクリート面に強打することがなくなるというものである。
【特許文献１】特開平１０−２７７０６６号公報
【発明の開示】
【発明が解決しようとする課題】
【０００６】
しかしながら上記従来のサポーターでは、ずり落ちてしまって膝関節部から外れ、クッションの役目を果たさなくなる虞がある。つまり上記従来のサポーターは、関節部を覆うクッション部材を牛の膝関節部の上下でベルトによって締結する構成であるところ、牛の脚は大凡下に窄まった形状であるので、余程強くベルトで締め付けないと、サポーターがずり落ちてしまうのである。また強くベルトで締め付けるにしても、牛が脚を動かせる程度以上には強くできないことから、実際にはサポーターを膝関節部の位置に固定することは困難である。加えてあまり強く締め付けると、脚の血行を害するので、この観点からも強い締め付けは好ましくない。
【０００７】
そこで本発明は上記の様な事情に着目してなされたものであって、その目的は、強い締め付けによらないで、関節部を確実に保護することの可能な家畜脚用サポーターを提供することにある。
【課題を解決するための手段】
【０００８】
本発明に係る家畜脚用サポーターは、四足歩行の家畜における脚の関節部の外側を保護する脚用サポーターであって、該脚用サポーターは、サポーター本体と、このサポーター本体を前記脚の関節部を挟む上側または下側のいずれか一方または両方へ取り付ける取付部材を備え、前記サポーター本体が、前記関節部の外側を覆う保護面部と、該保護面部の下方であって家畜の脚の繋或いはその近傍の上面への載置部を有し、該サポーター本体が自立性を有することを特徴とする。尚上記「関節部の外側」とは、関節を曲げたときに外になる側の意味である。
【０００９】
つまり本発明の家畜脚用サポーターにおいて、上記サポーター本体は、少なくとも脚の関節部を覆い得る箇所から脚の繋或いはその近傍の上に至る長さを有するものであって、且つ自立性を有する。従ってこの家畜脚用サポーターを家畜の脚に装着すると、サポーター本体の下端（載置部の下端）が家畜の繋或いはその近傍の上に乗るようになり、ずり落ちることがない。この点について更に詳しく述べると、家畜の脚は、立っているとき脚の根元部分から球節（蹄の近くの関節）に向かって下方に伸び、球節によって曲がって繋，蹄に至っており、この様に縦方向に対して横方向に曲がって位置する繋或いはその近傍において、上記サポーター本体の下端（載置部の下端）が当たることとなり、ずり落ちないのである。そして下端（載置部の下端）が支持されれば、サポーター本体に自立性があるので、撓むことなくその保護面部が脚の関節部の位置に保持され、即ち関節部を覆った状態を保ち得る。
【００１０】
こうしてサポーター本体が関節部を覆った状態に保ち得ることから、取付部材による脚への取り付けに関しては、脚を締め付けずに緩くすることが可能である。
【００１１】
尚上記「脚の関節部を挟む上側または下側のいずれか一方または両方へ取り付ける」とは、関節部の直ぐ上や直ぐ下において取り付ける場合に限らず、関節部から離れた上側や下側で取り付ける場合であっても良い。要は取付部材によって脚からサポーター本体が離れない様に取り付けることが可能であれば、いずれの箇所で取り付けるものであっても良い。
【００１２】
本発明において、サポーター本体の自立性を確保する観点から、サポーター本体はたわみ（ＪＩＳ  Ｋ  ７１７１）が２５mm以下であることが好ましい。この様にたわみが２５ｍｍ以下の場合は、形状保持性が良く、自重によって折れ曲がる虞が殆どないからである。より好ましくはたわみが１０mm以下であり、最も好ましくはたわみが０mmのものである。尚たわみの測定にあたっては、ＪＩＳ  Ｋ  ７１７１-１９９４において定義される試験片，方法で行う。
【００１３】
また本発明においては、前記サポーター本体が可撓性のある素材で構成されたものであることが好ましい。この様に撓ませることの可能な素材で構成されたサポーター本体であれば、家畜が脚用サポーターを装着した状態で、脚の関節を曲げることができるからである。
【００１４】
加えて前記家畜が牛の場合に、前記サポーター本体の厚み方向の反発弾性（ＪＩＳ  Ｋ  ６４００）が７０％以下であることが好ましい。厚み方向の反発弾性が高すぎると、コンクリート面等に打ち付けたとき、サポーター本体を通して脚に大きな衝撃が伝わる懸念があるからである。より好ましくは６０％以下である。
【００１５】
更に本発明においては、前記家畜が牛の場合に、前記サポーター本体の厚みが２５〜３５mmであることが好ましい。厚みが薄すぎると、クッション性が乏しくなる傾向にあるが、上記の如く２５ｍｍ以上であれば良好なクッション性を発揮し得るからである。一方厚すぎると、分厚いサポーターを脚に取り付けることとなるので、牛にとって動きの邪魔になる懸念があるが、上記の如く３５ｍｍ以下であれば左程支障とならないからである。
【００１６】
また本発明における前記サポーター本体の材質としては、軽量で良好なクッション性を発揮するという観点から発泡体が好ましい。
【００１７】
この場合、前記サポーター本体が、独立気泡の発泡体により構成されたものであることがより好ましい。牛等の家畜の飼育環境には所々湿潤な場所がある為、これに触れたときにサポーター本体に水分が染み込み患部が不衛生になる虞がある。この点において、上記の如く独立気泡の発泡体であれば、殆ど水分が染み込まない。
【００１８】
加えて防水性の観点からコーティングを施しても良い。この場合は、連続気泡の発泡体であってもコーティング層により防水性を図ることが可能である。
【００１９】
更に前記サポーター本体が、発泡ポリウレタン、発泡ポリ塩化ビニール、発泡ポリエチレン、発泡ゴムよりなる群から選択される１種以上の素材により、単層或いは積層構造により構成されたものであることが好ましい。上記の如く発泡ポリウレタン、発泡塩化ビニール、発泡ポリエチレン、発泡ゴムであれば、良好なクッション性を発揮し得るからである。
【００２０】
また２種以上の素材により積層したものの場合は、各素材の欠点を補い合うことができる。例えば、比較的硬質でクッション性に乏しいものの底づきの虞の少ない素材と、比較的軟質でクッション性は良いものの底づきの虞のある素材とを積層したものの場合、底づきせず且つクッション性の良好なサポーター本体を得ることができる。尚この場合において上記たわみや上記厚み方向の反発弾性は、該積層構造全体で求めることとする。
【発明の効果】
【００２１】
本発明に係る家畜脚用サポーターによれば、取付部材によって締め付けるようにして取り付けなくても、関節部を確実に覆って保護することができる。そして上記の通り締め付けずに取り付ける様にすれば、家畜が脚を容易に動かすことが可能であり、また脚の血行を害することもない。
【発明を実施するための最良の形態】
【００２２】
＜実施形態１＞
図１は本発明の実施形態１に係る家畜脚用サポーター１０を示す斜視図である。図２，３はこの脚用サポーター１０を乳牛の前脚６０に取り付けた様子を表す図であり、図２は斜め前方からの斜視図、図３は斜め後方からの斜視図である。また図４は実施形態１の脚用サポーター１０におけるサポーター本体１１を示す斜視図である。
【００２３】
脚用サポーター１０は牛の前脚用のものであって、サポーター本体１１に４組の取付紐（取付部材）１２が取り付けられたものである。
【００２４】
図に示す様に、サポーター本体１１は全体として略半円筒状をしたワンピースものであり、その側端（半筒の開放端）が下方において一段窪む様にして（側端上方１１ａ、側端下方１１ｄ）、上方のやや大きい保護面部１９と、下方のやや小さい載置部１３とが続いたものである。尚サポーター本体１１の上方部分である保護面部１９の横断面はＵ字状を呈し（図８〔サポーター本体の横断面形状を説明する為の図〕の（ａ））、その内径（Ｓ1）及び開口径（Ｓ4）はいずれも１３．５ｃｍである。下方部分である載置部１３は半円形となっており（図８の（ｂ））、その内径（即ち開口径）（Ｓ2）は８ｃｍである。またサポーター本体１１全体、即ち保護面部１９から載置部１３にかけて、その軸方向中心部分１１ｃは、力を加えない自然状態で真っ直ぐとなっている。サポーター本体１１全体の縦方向の長さ（Ｔ）は５０ｃｍである。厚み（Ｗ）は３０ｍｍである。サポーター本体１１の両側端１１ａ，１１ｂの近傍には、それぞれ取付紐用の孔部１７が設けられており、取付紐１２を接続することができる様になっている。
【００２５】
サポーター本体１１の材質は、発泡ポリウレタン（独立気泡）の単層構造物にウレタン樹脂をコーティングしたものであり、そのたわみ（ＪＩＳ  Ｋ  ７１７１）は０ｍｍである。またサポーター本体１１は可撓性がある。そしてサポーター本体１１の厚み方向の反発弾性（ＪＩＳ  Ｋ  ６４００）は５４％である。
【００２６】
因みに、たわみの測定にあたっては、ＪＩＳ  Ｋ  ７１７１に従い、サポーター本体１１から試験片として長さ（ｌ）：４８０±２．０ｍｍ，幅（ｂ）：１０．０±２．０ｍｍを切り出し、支持体についての支点間距離（Ｌ）：４１０ｍｍとして測定した。
【００２７】
取付紐１２はゴム紐製であり、先端には対となるバックル１２ａ，１２ｂがそれぞれ設けられており、対抗するバックル１２ａ，１２ｂ同士で係着可能となっている。
【００２８】
脚用サポーター１０の使用にあたっては、図２，３に示す如く、負傷した膝の関節部６１を外側（曲げたときに外になる側）から覆うようにしつつ、バックル１２ａ，１２ｂを留めて牛の前脚６０に装着する。尚この様にサポーター本体１１の軸方向中心部分１１ｃの側を関節部６１の外側にして（脚装着用開口１８側を関節部６１の内側にして）装着する理由は、コンクリート面等への打ち付けによる負傷が、専ら関節を曲げた際の外側（突出する側）に起こるからである。
【００２９】
次に脚用サポーター１０を前脚６０に取り付けた状態について説明する。繋６２の箇所は、前脚６０の延びる方向（縦方向）に対し、上記関節部６１の外側と同方向に「く」の字に向いているので、上記の如く脚用サポーター１０を前脚６０に取り付けたとき、サポーター本体１１における載置部１３の下端１１ｂは繋６２の上に乗るようになる。そしてサポーター本体１１はたわみが０mmであることから、しっかりと形状を保持して自立でき、ずり落ちて外れるということがない。またサポーター本体１１は縦方向に十分に長く（Ｔ：５０ｃｍ）、その上端１１ｈの位置は膝の関節部６１よりも上側に至るので、保護面部１９において関節部６１を十分に覆った状態を維持し得る。加えて上記の如くサポーター本体１１は可撓性のある素材で構成されているので、牛は膝の関節部６１を容易に曲げ伸ばしすることができる。また厚み（Ｗ）も左程厚くないので、牛の動きに支障がない。
【００３０】
上記の如くサポーター本体１１は形状を保持し得るので、前脚６０を強く締め付ける様な取付手法をとる必要がなく、取付紐１２を緩く留めることが可能である。即ち弱い固定であっても、しっかりと関節部６１を覆って保護することができる。こうして強く締め付けずに取り付けることで、牛は脚６０を容易に動かすことができ、また脚６０の血行を害することもない。殊に関節部６１が負傷している状態では血行を良好に保つことが望まれ、この点からも好ましい。
【００３１】
更にサポーター本体１１は十分なクッション性を有するから、コンクリート面等の硬い部分に打ち付けても、その内側の関節部６１への衝撃が和らげられ、負傷した関節部６１の治癒が円滑に進む。また保護面部１９は上述の様に大きなＵ字状を呈しており、関節部６１を大きく覆うことができるので、関節部６１を良好に保護しうる。尚脚用サポーター１０は、負傷した関節部６１に用いる場合だけでなく、負傷していない関節部６１に対して予防の目的で取り付けても良い。
【００３２】
＜実施形態２〜４＞
図５は本発明の実施形態２に係る家畜脚用サポーターのサポーター本体２１を示す斜視図、図６は本発明の実施形態３に係る家畜脚用サポーターのサポーター本体３１を示す斜視図、図７は本発明の実施形態４に係る家畜脚用サポーターのサポーター本体４１を示す斜視図である。これら実施形態２〜４はいずれも牛の前脚用のものであり、孔部１７に取付部材を接続し、この取付部材によって牛前脚に取り付けられる様になっている。尚図１〜４と同じ構成部分については同一の符号を付して重複説明を避ける。
【００３３】
上記実施形態１ではサポーター本体１１の側端（側端上方１１ａ、側端下方１１ｄ）が段となって下方が小さくなったものであるが、実施形態２のサポーター本体２１では、図５に示す様に、その側端下方２１ｄにおいて傾斜する様にして下に向かって小さくなっている。尚側端上方２１ａは脚の長さ方向に沿って真っ直ぐとなっている。
【００３４】
実施形態３のサポーター本体３１では、図６に示す様に、その側端（側端上方３１ａ、側端下方３１ｄ）が下方において一段窪む様にしてやや小さくなると共に、側端上方３１ａと側端下方３１ｄの境目の部分で切り込み３１ｅが形成されている。
【００３５】
実施形態４のサポーター本体４１では、図７に示す様に、その側端（側端上方４１ａ、側端中部４１ｇ、側端下方４１ｄ）が下方において一段窪む様にしてやや小さくなると共に、側端上方４１ａと側端中部４１ｇの境目の部分、及び側端中部４１ｇと側端下方４１ｄの境目の部分でそれぞれ切り込み４１ｆ，４１ｅが形成されている。
【００３６】
上記実施形態３，４においては、牛が脚を曲げようとしたとき、切り込み３１ｅ，４１ｆ，４１ｅによって曲げ易くなることから、サポーター本体４１の素材として比較的硬質なものを用いることも可能であり、素材の選択範囲が広がる。
【００３７】
上記実施形態２〜４においてもサポーター本体２１，３１，４１の下端１１ｂが前脚６０の繋６２或いはその近傍に当たるから、サポーター本体２１，３１，４１がずり落ちるということがない。従って取付部材により締め付けなくてもサポーター本体２１，３１，４１は所定の位置に保持され、関節部６１を保護し得る。
【００３８】
＜実施形態５＞
上記実施形態１〜４ではサポーター本体１１，２１，３１，４１の横断面形状がＵ字状乃至半円形のものを示したが（図８の（ａ），（ｂ）：サポーター本体１１の横断面形状を説明する為の図）、図８の（ｃ）（実施形態５におけるサポーター本体１４の横断面形状を説明する為の図）に示す様にサポーター本体１４の内径Ｓ1に対して脚装着用開口１５の幅Ｓ3が狭いＣ字状としても良い（実施形態５）。
【００３９】
尚この様な断面Ｃ字状のサポーター本体１４においては、可撓性のある素材で構成することとし、該脚用サポーターを牛の脚に取り付ける操作にあたっては、脚装着用開口１５を広げる様にすると良い。
【００４０】
＜実施形態６＞
図９の（ａ）は本発明の実施形態６に係る家畜脚用サポーター５０のサポーター本体５１を示す斜視図で、（ｂ）はこのサポーター本体５１の底面図である。図１０は、この実施形態６の家畜脚用サポーター５０を乳牛の後脚７０に取り付けた様子を表す図である。尚図１〜４と同じ構成部分については同一の符号を付して重複説明を避ける。
【００４１】
実施形態６の脚用サポーター５０は後脚用のものである。そのサポーター本体５１は、断面Ｕ字状の保護面部５２と断面Ｃ字状の載置部５３が一体となったワンピースものであり、保護面部５２と載置部５３の境目には切り込み５１ｅが形成されている。
【００４２】
コンクリート面等の打ち付けによる負傷は、専ら関節を曲げた際の外側に起こるので、この関節の外側にサポーター本体における保護面部の中心を向けて装着することが推奨される。この点に関し、前脚用の家畜脚用サポーターの場合は、膝の関節部６１の外側と繋６２の向く側が同じであることから、実施形態１〜４のサポーター本体１１，２１，３１，４１の様に、関節部６１を覆う保護面部の軸方向中心部分１１ｃの真下の位置となる下端１１ｂの部分で、繋６２或いはその近傍の上で支えることができる（図２，３）。
【００４３】
一方、後脚の場合は関節部（飛節）７１の外側（曲げたときに外になる側（突出する側））と繋７２の向く側が逆である。この点において上記実施形態６の家畜脚用サポーター５０では、図９（ｂ）に示す様に、載置部５３の脚装着用開口５８側が弧状に内側に曲がっている（Ｃ字状となっている）ので、関節部７１の外側に保護面部５２の軸方向中心部分５２ｃを向けて牛の後脚７０に装着したとき、載置部５３下端の先端部分５１ｂが繋７２の上に至り、この先端部分５１ｂが繋７２の上に乗る様にしてサポーター本体５１が支えられる。従って脚用サポーター５０は後脚７０からずり落ちることがなく、関節部７１を確実に覆いうる。
【００４４】
＜サイズの検討＞
家畜の脚の関節の負傷に関しては、現状の畜産業において特に牛の前脚について問題視されている。そこで本発明の家畜脚用サポーターにおいて、牛の前脚に適応したサイズについて検討する。
【００４５】
図１１は牛の前脚におけるサイズ測定箇所を説明する為の図である。サイズ測定にあたっては、左右前脚６０それぞれについて膝の関節部６１の周長（太さ）（Ａ）、繋６２の部分における周長（Ｂ）、前脚６０の管における最も細い箇所の周長（Ｃ）、前脚６０の全長（Ｆ）、膝関節部６１の長さ（Ｅ）、膝関節下端から繋６２の上までの長さ（Ｄ）を測定した。測定はホルスタイン（乳用雌牛）１７頭〔月齢２２〜９０ヶ月〕、黒毛和種（肉用繁殖牛）３頭〔月齢１９〜１１４ヶ月〕について行った。それぞれの測定値についての平均値、並びに最大値，最小値を下記表１に示す。
【００４６】
【表１】
2007289051.tif 000003
【００４７】
上記測定結果より勘案して、牛の前脚用の家畜脚用サポーターとしては、その保護面部（上方部分）の内径（Ｓ1）を１３〜１９ｃｍ、載置部（下方部分）の内径（Ｓ2）を６．４〜９．６ｃｍ、縦方向の長さ（Ｔ）は５０〜６５ｃｍ程度とするのが適当であり、このサイズであれば大きすぎず小さすぎずまた膝の関節部６１を十分覆うことができる。
【００４８】
以上、例を挙げて本発明を具体的に説明したが、本発明はもとより上記例によって制限を受けるものではなく、前記の趣旨に適合し得る範囲で適当に変更を加えて実施することも勿論可能であり、それらはいずれも本発明の技術的範囲に包含される。
【００４９】
例えばサポーター本体の縦方向長さ（Ｔ）としては、繋の上から膝の関節部の上端までとしたものに限らず、これよりも長く、例えば繋の上から脚の付け根まであるものであっても良い。要するに、繋或いはその近傍の上から関節部を覆い得るまでの長さがあれば良い。
【図面の簡単な説明】
【００５０】
【図１】本発明の実施形態１に係る家畜脚用サポーターを示す斜視図である。
【図２】実施形態１の家畜脚用サポーターを乳牛の前脚に取り付けた様子を表す斜め前方からの斜視図である。
【図３】実施形態１の家畜脚用サポーターを乳牛の前脚に取り付けた様子を表す斜め後方からの斜視図である。
【図４】実施形態１の家畜脚用サポーターのサポーター本体を示す斜視図である。
【図５】本発明の実施形態２に係る家畜脚用サポーターのサポーター本体を示す斜視図である。
【図６】本発明の実施形態３に係る家畜脚用サポーターのサポーター本体を示す斜視図である。
【図７】本発明の実施形態４に係る家畜脚用サポーターのサポーター本体を示す斜視図である。
【図８】本発明におけるサポーター本体の横断面形状を説明する為の図である。
【図９】本発明の実施形態６に係る家畜脚用サポーターのサポーター本体を示す図である。
【図１０】実施形態６の家畜脚用サポーターを乳牛の後脚に取り付けた様子を表す図である。
【図１１】牛の前脚におけるサイズ測定箇所を説明する為の図である。
【符号の説明】
【００５１】
１０，５０  家畜脚用サポーター
１１，１４，２１，３１，４１，５１  サポーター本体
１１ｂ  下端
１１ｃ，５２ｃ  軸方向中心部分
１１ｈ  上端
１２  取付紐
１２ａ，１２ｂ  バックル
１３，５３  載置部
１５，１８，５８  脚装着用開口
１７  取付紐取付用孔部
１９，５２  保護面部
３１ｅ，４１ｅ，４１ｆ，５１ｅ  切り込み
５１ｂ  下端の先端部分
６０  前脚
６１，７１  関節部
６２，７２  繋
７０  後脚
【図１】
2007289051.tif 000004
【図２】
2007289051.tif 000005
【図３】
2007289051.tif 000006
【図４】
2007289051.tif 000007
【図５】
2007289051.tif 000008
【図６】
2007289051.tif 000009
【図７】
2007289051.tif 000010
【図８】
2007289051.tif 000011
【図９】
2007289051.tif 000012
【図１０】
2007289051.tif 000013
【図１１】
2007289051.tif 000014